(57)【要約】【課題】窓や壁に設置した電動ブラインド及び電動スクリーンにインテリア効果や宣伝広告効果を付加することによって、電動ブラインドと電動スクリーンとを協調して有効活用し、居住環境を快適にしたり、窓をつぶすことなくオフィスにおける宣伝広告を行うことができる多重電動ブラインド遠隔制御システムを提供する。【解決手段】インターネット３等の電気通信回線を通じて接続された通信端末１０より広告・アニメ・情景等の映像データを映像データの描写態様を示す演出データとともに受信し、これらのデータを基に算出した第一モータ制御演算部及び第二モータ制御演算部の算出結果に応じて、スラット角度駆動部とブラインド昇降駆動部とスクリーン昇降駆動部を制御して、窓又は壁面に重ねて並設された電動ブラインド１８や電動スクリーン１９に表示することを特徴とする。【選択図】          図１
2004339761.tif 000002
【特許請求の範囲】
【請求項１】
複数組のスラットで構成された電動ブラインドと当該電動ブラインドに並設される電動スクリーンを制御するコントローラと、インターネット等の電気通信回線を通じて提供された情報を受信するとともに、当該情報に応じて電動ブラインド及び電動スクリーンの制御方式を計算する操作端末と、が接続された通信制御装置を備え、
前記通信制御装置は、前記操作端末からの情報を検出する手段と、受信した情報が前記コントローラをＬＡＮに接続させるための接続要求信号であるとき、前記コントローラをＬＡＮに接続する手段と、を有することを特徴とする多重電動ブラインド遠隔制御システム。
【請求項２】
前記コントローラは、
前記操作端末からの前記電動ブラインド及び前記電動スクリーンの視覚表示態様を受信する受信部と、
前記受信部より受信した結果に基づいて、前記電動ブラインド及び／又は前記電動スクリーンを選択するブラインド・スクリーン選択部と、
を有し、
前記受信部より受信した視覚表示態様を前記電動ブラインド及び／又は前記電動スクリーンに表示することを特徴とする請求項１記載の多重電動ブラインド遠隔制御システム。
【請求項３】
前記コントローラは、
前記操作端末からの前記電動ブラインド及び前記電動スクリーンの視覚表示態様を受信する受信部と、
前記受信部より受信した結果に基づいて、前記電動ブラインドのブラインド長さを計算する第一モータ制御演算部と、
前記受信部より受信した結果に基づいて、前記電動スクリーンのスクリーン長さを計算する第二モータ制御演算部と、
前記電動ブラインドを前記第一モータ制御演算部により算出されたブラインド長さに設定可能なブラインド昇降駆動部と、
前記電動スクリーンを前記第二モータ制御演算部により算出されたスクリーン長さに設定可能なスクリーン昇降駆動部と、
を有し、
前記第一モータ制御演算部及び前記第二モータ制御演算部の算出結果に応じて、前記スラット角度駆動部と前記ブラインド昇降駆動部と前記スクリーン昇降駆動部とを制御して、前記受信部より受信した視覚表示態様を前記電動ブラインド及び／又は前記電動スクリーンに表示することを特徴とする請求項１又は２記載の多重電動ブラインド遠隔制御システム。
【請求項４】
前記第一モータ制御演算部は、さらに、前記受信部より受信した結果に基づいて、前記電動ブラインドのスラット角度を計算し、前記電動ブラインドを前記第一モータ制御演算部により算出されたスラット角度に設定可能なスラット角度駆動部を有することを特徴とする請求項３記載の多重電動ブラインド遠隔制御システム。
【発明の詳細な説明】
【０００１】
【発明の属する技術分野】
本発明は、広告やインテリアのためにブラインドとスクリーンに映像を投影する多重電動ブラインド遠隔制御システムにおいて、特に、広告やインテリアの視覚表示態様に応じてスラット角度とブラインド長さとスクリーン長さを変更することのできる多重電動ブラインド遠隔制御システムに関するものである。
【０００２】
【従来の技術】
住宅における居住環境を快適にするために、従来より、屋内の、特に窓際にインテリアを設置する方法が採られている。また、オフィスにおいて宣伝広告を狙う目的で、従来より、窓を広告媒体として活用する方法が採られている。
【０００３】
このように、窓や窓際を活用して環境を整えることが試みられてきているが、窓や窓際にはブラインドを設置しているため、このブラインドの昇降操作に必要なスペースを確保する必要があった。
【０００４】
【発明が解決しようとする課題】
しかしながら、都心部においては居住環境の狭さから、ブラインドの昇降操作に必要なスペースを確保するだけで精一杯であり、インテリアを施したりすることなどは敬遠されがちである。
【０００５】
また、住宅やオフィスにおけるブラインドは、専ら遮蔽のために使用されるのが一般的である。このため、住宅においては、十分な採光と遮蔽のために、ブラインドが設置してある窓際にインテリアを施す余裕がないのが実情であり、また、オフィスにおいては、ブラインドが設置してある窓を広告媒体として使用し、窓をつぶしているのが実情であった。
【０００６】
本発明はこのような点に鑑みてなされたものであり、その目的は、窓や壁に設置した電動ブラインド及び電動スクリーンにインテリア効果や宣伝広告効果を付加することによって、電動ブラインドと電動スクリーンとを協調して有効活用し、居住環境を快適にしたり、窓をつぶすことなくオフィスにおける宣伝広告を行うことができる多重電動ブラインド遠隔制御システムを提供することにある。
【０００７】
【課題を解決するための手段】
以上のような課題を解決するために、本発明は、インターネット等の電気通信回線を通じて接続された通信端末より広告・アニメ・情景等の映像データを映像データの描写態様を示す演出データとともに受信し、これらのデータを基に算出した第一モータ制御演算部及び第二モータ制御演算部の算出結果に応じて、スラット角度駆動部とブラインド昇降駆動部とスクリーン昇降駆動部を制御して、窓又は壁面に重ねて並設された電動ブラインドや電動スクリーンに表示することを特徴とする。
【０００８】
より具体的には、本発明は、以下のものを提供する。
【０００９】
（１）  複数組のスラットで構成された電動ブラインドと当該電動ブラインドに並設される電動スクリーンを制御するコントローラと、インターネット等の電気通信回線を通じて提供された情報を受信するとともに、当該情報に応じて電動ブラインド及び電動スクリーンの制御方式を計算する操作端末と、が接続された通信制御装置を備え、前記通信制御装置は、前記操作端末からの情報を検出する手段と、受信した情報が前記コントローラをＬＡＮに接続させるための接続要求信号であるとき、前記コントローラをＬＡＮに接続する手段と、を有することを特徴とする多重電動ブラインド遠隔制御システム。
【００１０】
本発明によれば、操作端末から受信した情報がコントローラをＬＡＮに接続するための接続要求信号であるとき、コントローラによる電動ブラインド及び電動スクリーンの制御をＬＡＮに接続された操作端末、インターネット等の電気通信回線を通じて接続された通信端末等により行うことができるので、電動ブラインド及び並設された電動スクリーンを操作端末、通信端末等により遠隔操作することができる。
【００１１】
（２）  前記コントローラは、前記操作端末からの前記電動ブラインド及び前記電動スクリーンの視覚表示態様を受信する受信部と、前記受信部より受信した結果に基づいて、前記電動ブラインド及び／又は前記電動スクリーンを選択するブラインド・スクリーン選択部と、を有し、前記受信部より受信した視覚表示態様を前記電動ブラインド及び／又は前記電動スクリーンに表示することを特徴とする多重電動ブラインド遠隔制御システム。
【００１２】
本発明によれば、広告・アニメ・情景等の映像データと、これらの広告・アニメ・情景等の描写態様を示す演出データと、から構成される電動ブラインドの視覚表示態様を操作端末から受信して、電動ブラインド及び／又は電動スクリーンに表示することによって、電動ブラインド及び電動スクリーンを有効活用し、居住環境を快適にしたり、窓をつぶすことなくオフィスにおける宣伝広告を行うことができる。
【００１３】
（３）  前記コントローラは、前記操作端末からの前記電動ブラインド及び前記電動スクリーンの視覚表示態様を受信する受信部と、前記受信部より受信した結果に基づいて、前記電動ブラインドのブラインド長さを計算する第一モータ制御演算部と、前記受信部より受信した結果に基づいて、前記電動スクリーンのスクリーン長さを計算する第二モータ制御演算部と、前記電動ブラインドを前記第一モータ制御演算部により算出されたブラインド長さに設定可能なブラインド昇降駆動部と、前記電動スクリーンを前記第二モータ制御演算部により算出されたスクリーン長さに設定可能なスクリーン昇降駆動部と、を有し、前記第一モータ制御演算部及び前記第二モータ制御演算部の算出結果に応じて、前記スラット角度駆動部と前記ブラインド昇降駆動部と前記スクリーン昇降駆動部とを制御して、前記受信部より受信した視覚表示態様を前記電動ブラインド及び／又は前記電動スクリーンに表示することを特徴とする多重電動ブラインド遠隔制御システム。
【００１４】
本発明によれば、第一モータ制御演算部によって、受信した視覚表示態様のデータに基づいて電動ブラインドのスラット角度とブラインド長さを計算し、第一モータ制御演算部の算出結果に応じて、スラット角度駆動部とブラインド昇降駆動部とを制御して視覚表示態様を表示することによって、電動ブラインドの本来の目的である採光及び遮光を考慮した電動ブラインドの有効活用ができることとなる。
【００１５】
なお、電動ブラインドの後ろに電動スクリーンが設置されている場合において、電動ブラインドが完全に閉じている状態（電動ブラインドのブラインド長さが最大でスラットが開いていない状態）では、背後の電動スクリーンには視覚表示態様が表示されないことになる。また、電動ブラインドの前に電動スクリーンが設置されている場合において、電動スクリーンが完全に降りている状態（電動スクリーンのスクリーン長さが最大の状態）では、背後の電動ブラインドには視覚表示態様が表示されないことになる。
【００１６】
（４）  前記第一モータ制御演算部は、さらに、前記受信部より受信した結果に基づいて、前記電動ブラインドのスラット角度を計算し、前記電動ブラインドを前記第一モータ制御演算部により算出されたスラット角度に設定可能なスラット角度駆動部を有することを特徴とする多重電動ブラインド遠隔制御システム。
【００１７】
本発明によれば、電動ブラインドは、表と裏のスラット面で構成された複葉ブラインド面を有しており、表裏のスラット面の選択を行うことによって、より多彩な電動ブラインドの視覚表示態様が実現できる。この際、受信した視覚表示態様のデータに基づいて、モータ制御演算部の算出結果に応じて、スラット角度駆動部とブラインド昇降駆動部とブラインド面選択部を制御して視覚表示態様を表示することによって、電動ブラインドの本来の目的である採光及び遮光を考慮した電動ブラインドの有効活用ができることとなる。
【００１８】
【発明の実施の形態】
以下、本発明に係る多重電動ブラインド遠隔制御システムについて、図面を参照しつつ説明する。
【００１９】
図１は、本発明の実施の形態に係る複葉電動ブラインド遠隔制御システムの概略図である。
【００２０】
本発明の実施の形態に係る複葉電動ブラインド遠隔制御システム１は、通信端末１０と、操作端末１３と、コントローラ１４と、通信制御装置１６ａ及び１６ｂと、から構成されている。そして、コントローラ１４と通信制御装置１６ａは１００Ｖ電源線又はツイストペア線でＬＡＮ接続されており（符号７）、操作端末１３と通信制御装置１６ａはＬＡＮ（Ｌｏｃａｌ  Ａｒｅａ  Ｎｅｔｗｏｒｋ）接続されており（符号５）、通信端末１０と通信制御装置１６ｂはインターネット接続されている（符号３）。ここで、インターネットやＬＡＮ接続は、一般的に広く用いられているＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を用いる、いわゆるイーサネット（Ｅｔｈｅｒｎｅｔ、富士ゼロックス株式会社の登録商標）により構成されている。また、上記のＬＡＮ接続（符号７）に換えて、コントローラ１４と通信制御装置１６ａとをＬＯＮ接続することもできる。ここで、ＬＯＮ接続は、ニューロン（Ｎｅｕｒｏｎ、米国エシェロン社の商標）チップを用い、ＬｏｎＴａｌｋプロトコルを用いたＬｏｎｗｏｒｋｓネットワークにより構成されている。
【００２１】
通信端末１０は、インターネット３等の電気通信回線を通じて接続されたものであり、通信制御装置１６を介して操作端末１３に、広告・アニメ・情景等の映像データと、これらの広告・アニメ・情景等の描写態様を示す演出データと、を提供するものである。
【００２２】
操作端末１３は、通信端末１０より受信した映像データと演出データとを視覚表示態様として電動ブラインド１８及び／又は電動スクリーン１９に表示・エミュレートさせるものである。この操作端末１３は、図２に示すように、中央演算処理装置であるＣＰＵ１３ａ、ＲＡＭやＲＯＭ等により構成されるメモリ１３ｂ、ＬＡＮ接続を行うためのＥｔｈｅｒｎｅｔトランシーバ１３ｃ、から構成されている。そして、Ｅｔｈｅｒｎｅｔトランシーバ１３ｃは通信制御装置の一種であるルータ１６ａ及び１６ｂに接続されている。
【００２３】
ここで、操作端末１３のＣＰＵ１３ａは、通信端末１０からの映像データと演出データに従って電動ブラインド１８及び電動スクリーン１９に広告・アニメ・情景等の映像を表示・エミュレートする機能を有している。
【００２４】
コントローラ１４は、通信制御装置１６（ルータ１６ａ，１６ｂ）に接続し、操作端末１３からの電動ブラインド及び電動スクリーンの視覚表示態様を受信する受信部としてのトランシーバ１４ａと、ＣＰＵ・メモリ等で構成され、操作端末１３からの軸制御指令により所定のスラット角度とブラインド長さを実現するための演算を行う第一モータ制御演算部１４ｂ１と、操作端末１３からの軸制御指令により所定のスクリーン長さを実現するための演算を行う第二モータ制御演算部１４ｂ２と、電動ブラインド１８のスラット角度を制御するスラット角度駆動部１４ｃ及び電動ブラインド１８のブラインド長さを制御するブラインド昇降駆動部１４ｅ（ポート出力部１〜４）と、電動スクリーン１９のスクリーン長さを制御するスクリーン昇降駆動部１４ｅ（ポート出力部５〜６）と、電動ブラインドの複葉ブラインド面の選択を行うスラット選択部１４ｆと、電動ブラインドや電動スクリーンを選択するブラインド・スクリーン選択部（ＢＣ選択部）１４ｇと、から構成され、さらに、スラット角度駆動部１４ｃ及びブラインド昇降駆動部１４ｄとはそれぞれゲート１４ｃ’と１４ｄ’とに、スクリーン昇降駆動部１４ｅはゲート１４ｅ’に、スラット選択部１４ｆはゲート１４ｆ’に接続されており、第一モータ制御演算部１４ｂ１の演算結果をスラット角度駆動部１４ｃ及びブラインド昇降駆動部１４ｄに、第二モータ制御演算部１４ｂ２の演算結果をスクリーン昇降駆動部１４ｅに送信することにより、電動ブラインド１８において所定のスラット角度とブラインド長さを位置決め制御できるとともに、電動スクリーン１９において所定のスクリーン長さを位置決め制御できる。
【００２５】
通信制御装置１６は、操作端末１３をインターネット３に接続する通信制御手段１６ｂと、操作端末１３をコントローラ１４に接続する通信制御手段１６ａと、からなり、インターネット上の通信端末１０からの映像データ及び演出データを受信して操作端末１３のＣＰＵ１３ａに送信するものである。
【００２６】
図２に基づいて、本発明の実施の形態に係る多重電動ブラインド遠隔制御システムについて説明する。
【００２７】
まず、操作端末１３からの接続要求信号を通信制御装置１６ａが受信すると、コントローラ１４をＬＡＮ接続して、通信制御装置１６ｂを介したインターネット上の通信端末１０に接続する。
【００２８】
操作端末１３による使用者の操作によって通信端末１０により受信した広告・アニメ・情景等の映像データと、これらの広告・アニメ・情景等の描写態様を示す演出データと、を操作端末１３のメモリ１３ｂに記憶し、ＣＰＵ１３ａにて処理をする。
【００２９】
ＣＰＵ１３ａによる処理は、まず、映像データと演出データとで構成される視覚表示態様を、電動ブラインド１８を構成する複葉複数組のスラットに分解する。また、重なり合う複数のブラインドにおいて、分解された複数のスラットがブラインド毎に持つそれぞれのスラット角度により、どのような映像になるのかを表示する。そして、展示データ編集フェーズにより作成された複数のブラインドや電動スクリーンの画像を映像データと演出データに従って重ねて並べて設定する。
【００３０】
こうして分解されたデータは、コントローラ１４に順次タイムリーに指令を発するシーケンス制御プログラムに変換する。
【００３１】
また、ＣＰＵ１３ａによる処理によって、コントローラ１４にシーケンス制御指令を発するときのターンアラウンド表を編集設定する。このターンアラウンド表によって、操作端末１３からコントローラ１４に分解された映像データと演出データとが順次送信される。
【００３２】
このコントローラ１４は、前述したように、ＣＰＵ・メモリ、Ｌｏｎｔａｌｋトランシーバ、リレー論理回路等で構成され、コントローラ１４は操作端末１３から状態読込指令を受信したら、ＡＣＫと共に現在の状態データを端末に送信する。コントローラ１４は、操作端末１３から座標系設定指令，絶対位置決め指令を受信したら、モータを回転制御して所定の角度にすると共にＡＣＫを端末に送信する。すなわち、コントローラ１４は、座標系設定指定の指定座標系絶対位置決め指令カウンタにパルスエンコーダの絶対位置決めパルスカウンタ値を計算し設定する。コントローラ１４は、指定座標系モータ同軸のパルスエンコーダから発信されたパルス値入力を指定座標系現在位置表示カウンタに加算する。コントローラ１４は、指定座標系絶対位置決め指令カウンタに指定座標系現在位置表示カウンタ値が一致するまでモータ回転信号を出力し所定の位置決め制御を達成する。
【００３３】
ここで、本発明の実施の形態に係る多重電動ブラインド遠隔制御システムの位置決め制御指令の体系について、図３〜図５を基に説明する。
【００３４】
図３は、通信端末１０のシステム機能ブロック図であり、通信端末１０は、コントローラ・ブラウザ表示部１０１と、コマンド入力部１０２と、シーケンス制御指令送信部１０３と、コントローラ状態受信部１０４と、を有する。
【００３５】
コントローラ・ブラウザ表示部１０１は、パソコンの標準ブラウザを使用して、予め設定してある単数或いは複数のブラインドや電動スクリーンを映像データと演出データとに従ってシーケンス制御する指令を発信し、コントローラの状態データを表示・入力するものである。また、コマンド入力部１０２は、標準ブラウザを使用して直接手動でコントローラ１４にブラインド位置決め制御指令を送信するものである。コントローラ状態受信部１０４は、コントローラの状態を知りたいときに状態読込指令をコントローラ１４に送信し、コントローラ１４からのＡＣＫとともにコントローラ１４の状態データを受信するものである。
【００３６】
図４は、操作端末１３のシステム機能ブロック図であり、操作端末１３は、コントローラ・ブラウザ表示部１３１と、コマンド入力部１３２と、展示データ編集部１３３と、展示データシナリオ設定部１３４と、シナリオシーケンス展開部１３５と、展示シミュレーション部１３６と、シーケンス制御指令送信部１３７と、コントローラ状態受信部１３８と、を有する。
【００３７】
操作端末１３は、コントローラ１４に対し制御ポートの状態を通知するように指令する。また、操作端末１３は、コントローラ１４のＡＣＫが一定時間内にない場合にリトライする。そして、コントローラ１４は操作端末１３に対し、ＡＣＫとともに、制御ポートの状態データを通知する。操作端末１３は、コントローラ１４からの制御ポート状態を解読しコントローラ・ブラウザ表示部１４１によって画面に表示する。
【００３８】
コントローラ・ブラウザ表示部１３１は、電動ブラインド１８に表示する視覚表示態様を操作端末１３に表示する。
【００３９】
コマンド入力部１３２は、操作端末１３がコントローラ１４に対し直接ポートを制御する指令を送信するためのコマンドを入力するものである。コマンド入力部１３２によってコマンドの入力が行われたときには、コントローラ１４は操作端末１３に対しＡＣＫとともに制御指令の結果を通知する。
【００４０】
展示データ編集部１３３は、電動ブラインドや電動スクリーンに表示する映像データを編集し、電動ブラインド１８を構成する複数のスラットに分解する。また、分解された複数のスラットがスラット角度によりどのような映像になるのかを識別する。さらに、重なり合う複数の電動ブラインド１８において、分解された複数のスラットがブラインド毎に持つそれぞれのスラット角度によりどのような映像になるのかを識別する。
【００４１】
展示データシナリオ設定部１３４は、展示表示する映像を電動ブラインド１８や電動スクリーン１９上でシナリオとなる演出データに従って順次表示する手順を設定するものである。展示データ編集フェーズにより作成された複数のブラインドやスクリーンの画像を演出データに従って重ねて並べ設定する。
【００４２】
シナリオシーケンス展開部１３５は、電動ブラインド１８や電動スクリーン１９を演出データに従って順次表示するためのシーケンス指令を作成するものである。すなわち、展示データシナリオ設定フェーズにより作成された複数の電動ブラインド１８や電動スクリーン１９の連続した映像を、コントローラ１４に順次タイムリーに指令を発するシーケンス制御プログラムに変換する。この際、電動ブラインドか電動スクリーンへの表示をＢＣ選択部１４ｇで選択するシーケンス指令も作成する。
【００４３】
展示シミュレーション部１３６は、シナリオシーケンス展開部１３５により作成されたシーケンス制御プログラムに従って、順次電動ブラインドや電動スクリーンに展開表示される様子がシミュレーションされるものである。コントローラ１４にシーケンス制御指令を発するときのターンアラウンド表を設定し、映像データと演出データに従って順次電動ブラインド１８や電動スクリーン１９に展開表示される様子をコントローラ制御指令のターンアラウンド表を基に実時間シミュレートする。
【００４４】
シーケンス制御指令送信部１３７は、タイムスケジュールに従いコントローラ１４に対し演出のシーケンス制御指令を順次送信し、コントローラ１４からの位置決め完了ＡＣＫを受信してから次のシーケンス制御指令を順次送信する。
【００４５】
コントローラ状態受信部１３８は、コントローラ１４の状態を読み込むものである。操作端末１３によってコントローラの状態読込命令が送信されたときは、コントローラの状態データをＡＣＫとともに受信する。
【００４６】
図５は、コントローラ１４のシステム機能ブロック図であり、コントローラ１４は、コントローラ状態送信部１４１と、シーケンス制御指令受信部１４２と、シーケンス制御演算部１４３と、ポート出力部１４４と、ポート入力部１４５と、を有する。
【００４７】
コントローラ状態送信部１４１は、通信端末１０や操作端末１３からの状態読込指令を受信したらＡＣＫとともに現在のコントローラの状態データを通信端末１０や操作端末１３に送信する。
【００４８】
シーケンス制御指令受信部１４２は、通信端末１０や操作端末１３からの座標系設定指令、絶対位置決め指令を受信したら、モータを回転制御して所定のスラット角度にするとともにＡＣＫを送信する。
【００４９】
シーケンス制御演算部１４３は、座標系設定指定の絶対位置決めカウンタに絶対位置決め指令値とパルスエンコーダの現在位置表示カウンタ値の差分を計算し設定する。
【００５０】
ポート出力部１４４は、座標系設定指定の絶対位置決めカウンタにエンコーダパルス入力値が一致するまでモータ回転信号を出力する。
【００５１】
ポート入力部１４５は、指定座標系モータ同軸のパルスエンコーダから発信されたパルス値入力を指定座標系現在位置カウンタにカウントアップする。
【００５２】
【発明の効果】
以上のように、本発明によれば、ブラインドと窓という本来の機能・採光環境を失うことなく、広告や居住空間の演出が可能な多重電動ブラインド遠隔制御システムを提供することができる。
【図面の簡単な説明】
【図１】本発明の実施の形態に係る多重電動ブラインド遠隔制御システムの概略図
【図２】本発明の実施の形態に係る多重電動ブラインド遠隔制御システムのブロック図
【図３】本発明の実施の形態に係る電動ブラインド遠隔制御システムの操作端末のブロック図
【図４】本発明の実施の形態に係る多重電動ブラインド遠隔制御システムの通信端末のブロック図
【図５】本発明の実施の形態に係る多重電動ブラインド遠隔制御システムの操作端末のブロック図
【符号の説明】
１  多重電動ブラインド遠隔制御システム
３  インターネット
５  ＬＡＮ
７  ＬＡＮ／ＬＯＮ
１０  通信端末
１３  操作端末
１４  コントローラ
１６  通信制御装置（１６ａ，１６ｂ）
１８  電動ブラインド
１９  電動スクリーン
【図１】
2004339761.tif 000003
【図２】
2004339761.tif 000004
【図３】
2004339761.tif 000005
【図４】
2004339761.tif 000006
【図５】
2004339761.tif 000007